(57)【特許請求の範囲】
【請求項１】
一意に識別できる識別情報が付与された複数の無線送信装置と、
前記複数の無線送信装置から送信される無線送信装置の識別情報を含む無線信号を受信する複数の無線受信装置と、
前記無線受信装置が予め定められる配列で配置され、前記無線受信装置が受信した前記無線送信装置の識別情報を前記配列にしたがって出力する接続装置と、
第１の前記無線送信装置が付加された第１の物体と、第２の前記無線送信装置が付加された第２の物体とを一対の物体の組とした、当該一対の物体の組に対応する前記識別情報であって、前記接続装置から出力された前記識別情報を対にして当該一対の物体の組みあわせを示す情報として記憶する記憶装置と、
を備えることを特徴とする無線システム。
【請求項２】
前記無線送信装置の識別情報の収集を指示する収集指示信号を、前記接続装置を通じて前記無線受信装置に送信し、前記無線受信装置が受信した無線送信装置の識別情報を前記配列にしたがって前記接続装置から受信する制御装置を備え、
前記無線受信装置は、前記制御装置から前記収集指示信号を受信した際に前記無線送信装置の識別情報を含む無線信号を受信することを特徴とする請求項１に記載の無線システム。
【請求項３】
前記接続装置は、
前記無線送信装置の識別情報を前記配列にしたがう順序で出力することを特徴とする請求項１に記載の無線システム。
【請求項４】
前記無線受信装置は、予め一意に識別できる識別情報が付与されており、
前記接続装置は、
前記無線受信装置が受信した前記無線送信装置の識別情報を前記配列にしたがって出力する際に、当該識別情報を受信した前記無線受信装置の識別情報を前記無線送信装置の識別情報に対応づけて出力することを特徴とする請求項１または請求項２に記載の無線システム。
【請求項５】
前記無線送信装置は、ＲＦＩＤタグ装置であり、
前記無線受信装置は、ＲＦＩＤリーダ装置であることを特徴とする請求項１から請求項４に記載の無線システム。
【請求項６】
前記無線送信装置は、無線端末局装置であり、
前記無線受信装置は、無線基地局装置であることを特徴とする請求項１から請求項４に記載の無線システム。
【発明の詳細な説明】
【技術分野】
【０００１】
本発明は、例えば無線端末局装置により物の管理を行う際に用いられる無線システムに関する。
【背景技術】
【０００２】
ＲＦＩＤ（Radio Frequency IDentification）は、無線タグ、無線ＩＣとも呼ばれ、物品を特定するために使用する無線装置として広く普及し始めている。ＲＦＩＤは、２つの装置から構成される。１つは、携帯電話等の基地局に相当するＲＦＩＤリーダ装置である。もう１つは、携帯電話の端末に相当するＲＦＩＤタグ装置である。ＲＦＩＤでは、１３．５６ＭＨｚ付近を境界に、ニアフィールドと呼ばれる領域で磁界を用いて通信を行う場合と、通常の電界（電波）を用いた無線通信が行なわれる場合とに大別できる。近距離で通信を行う場合には、上記の磁界を用いる場合が一般的である。
【０００３】
一方、ＲＦＩＤシステムでは、ＲＦＩＤタグ装置の電源供給に関して様々な構成が考えられる。一例として、パッシブ型タグ呼ばれるＲＦＩＤタグ装置では、ＲＦＩＤリーダ装置から電源が供給される。このパッシブ型タグを用いて至近距離で通信を行う場合には、磁界の変動を活用する。具体的には、ＲＦＩＤタグ装置のタグアンテナに交流電流を励起して、その交流電流を整流してタグの制御回路等への給電が行なわれる。
【０００４】
このようの磁界、電界をエネルギー、あるいは、情報として用いるＲＦＩＤタグ／リーダ装置で、通信を行う場合には、各物品への通信制御を目的として、次のような従来技術が検討されている。
【０００５】
従来の技術では、磁界、電界の周囲への漏洩を許容し、ＲＦＩＤリーダ装置のソフト処理にて、その干渉を回避しながら１対１の通信を確保するＲＦＩＤシステムを実現している。（例えば、非特許文献１参照）
【０００６】
図２１は、従来のＲＦＩＤシステムに用いられるＲＦＩＤリーダ装置の構成を示す概略ブロック図である。
【０００７】
図２１に示すＲＦＩＤシステムでは、制御装置１から出力された制御信号ｓ１は、例えば、物品Ａに添付されたＲＦＩＤリーダ装置２へ入力されて、例えば、物品Ｂに添付されたＲＦＩＤタグ装置３への無線信号ｓ２が生成される。ＲＦＩＤタグ装置３では、受信した無線信号ｓ２に基づいた制御処理が行われる。その後、ＲＦＩＤタグ装置３からは、所定の処理がなされた無線信号ｓ２がＲＦＩＤリーダ装置２へ送信されて受信信号ｓ４として、取得した情報が制御装置１へ入力される。一方、このときに図２１に示すように物品Ｂに添付したＲＦＩＤタグ装置３は近傍のＲＦＩＤリーダ装置４からの信号に対しても返信してしまうために、ＲＦＩＤリーダ装置２では適切な処理ができない。
【０００８】
このときには、ＲＦＩＤリーダ２では、自身からの送信タイミングを時間的にシフトするなどのソフト処理を行い１対１の通信を確保するように処理が行われる。
以上に説明したように従来のＲＦＩＤタグ装置とＲＦＩＤリーダ装置では、隣接するＲＦＩＤタグ装置とＲＦＩＤリーダ装置との磁界・電界の漏洩を許容しながら、１対１の通信を実現していた。
【非特許文献１】田中他、「ＵＨＦ帯ＲＦＩＤシステムにおけるリーダ干渉制御法」、信学総大２００６、Ｂ−５−１４７
【発明の開示】
【発明が解決しようとする課題】
【０００９】
しかしながら、非特許文献１に記載の従来技術では、磁界、電界の周囲への漏洩を許容し、ＲＦＩＤリーダ装置のソフト処理にて、その干渉を回避しながら１対１の通信を確保する技術である。したがって、将来に必要となる、複数のＲＦＩＤタグ装置間、及び、無線端末局装置間の組み合わせ情報を取得できないという課題がある。
【００１０】
本発明は、上記課題を解決するためになされたもので、その目的は、主に無線端末局装置により物の管理を行う際に用いられる無線システムを提供することにある。
【課題を解決するための手段】
【００１１】
上記問題を解決するために、本発明は、一意に識別できる識別情報が付与された複数の無線送信装置と、前記複数の無線送信装置から送信される無線送信装置の識別情報を含む無線信号を受信する複数の無線受信装置と、前記無線受信装置が予め定められる配列で配置され、前記無線受信装置が受信した前記無線送信装置の識別情報を前記配列にしたがって出力する接続装置と、第１の前記無線送信装置が付加された第１の物体と、第２の前記無線送信装置が付加された第２の物体とを一対の物体の組とした、当該一対の物体の組に対応する前記識別情報であって、前記接続装置から出力された前記識別情報を対にして当該一対の物体の組みあわせを示す情報として記憶する記憶装置と、を備えることを特徴とする無線システムである。
【００１２】
また、本発明は、上記記載の発明において、前記無線送信装置の識別情報の収集を指示する収集指示信号を、前記接続装置を通じて前記無線受信装置に送信し、前記無線受信装置が受信した無線送信装置の識別情報を前記配列にしたがって前記接続装置から受信する制御装置を備え、前記無線受信装置は、前記制御装置から前記収集指示信号を受信した際に前記無線送信装置の識別情報を含む無線信号を受信することを特徴とする。
【００１３】
また、本発明は、上記記載の発明において、前記接続装置は、前記無線送信装置の識別情報を前記配列にしたがう順序で出力することを特徴とする。
【００１４】
また、本発明は、上記記載の発明において、前記無線受信装置は、予め一意に識別できる識別情報が付与されている。また、前記接続装置は、前記無線受信装置が受信した前記無線送信装置の識別情報を前記配列にしたがって出力する際に、当該識別情報を受信した前記無線受信装置の識別情報を前記無線送信装置の識別情報に対応づけて出力することを特徴とする。
【００１５】
また、本発明は、上記記載の発明において、前記無線送信装置は、ＲＦＩＤタグ装置であり、前記無線受信装置は、ＲＦＩＤリーダ装置であることを特徴とする。
【００１６】
また、本発明は、上記記載の発明において、前記無線送信装置は、無線端末局装置であり、
前記無線受信装置は、無線基地局装置であることを特徴とする。
【発明の効果】
【００１８】
この発明の無線システムは、一意に識別できる識別情報が付与された複数の無線送信装置と、前記複数の無線送信装置から送信される無線送信装置の識別情報を含む無線信号を受信する複数の無線受信装置と、前記無線受信装置が予め定められる配列で配置され、前記無線受信装置が受信した前記無線送信装置の識別情報を前記配列にしたがって出力する接続装置を備える構成とした。
これにより、１対１での通信に加えて、複数の無線送信装置間の組み合わせ情報を取得することができる。また、関連する無線受信装置間の関係づけを接続装置との接続と配置により行い、グループ化して組み合わせ情報を収集することができる。
【００１９】
また、本発明によると、上記発明において、前記無線送信装置の識別情報の収集を指示する収集指示信号を、前記接続装置を通じて前記無線受信装置に送信し、前記無線受信装置が受信した無線送信装置の識別情報を前記配列にしたがって前記接続装置から受信する制御装置を備え、前記無線受信装置は、前記制御装置から前記収集指示信号を受信した際に前記無線送信装置の識別情報を含む無線信号を受信することとした。
これにより、制御装置を利用したシステム構成を構築でき、収集した識別情報を業務で利用する他の情報と関連づけた処理を行える効果がある。
【００２０】
また、本発明によると、上記発明において、前記接続装置は、前記無線送信装置の識別情報を前記配列にしたがう順序で出力することとした。
これにより、接続装置からの情報収集をパタン化でき、記録する識別情報と関連させた配列にあわせた構成とすることができる。
【００２１】
また、本発明によると、上記発明において、前記無線受信装置は、予め一意に識別できる識別情報が付与されている。また、前記接続装置は、前記無線受信装置が受信した前記無線送信装置の識別情報を前記配列にしたがって出力する際に、当該識別情報を受信した前記無線受信装置の識別情報を前記無線送信装置の識別情報に対応づけて出力することとした。
これにより、各無線送信装置からの情報収集を複数同時に行えるので、識別情報収集回数が多くなる大規模システムでは、情報収集時間の短縮による効果がある。
【００２２】
また、本発明によると、上記発明において、前記無線送信装置は、ＲＦＩＤタグ装置であり、前記無線受信装置は、ＲＦＩＤリーダ装置であることとした。
これにより、ＲＦＩＤシステムを用いてのシステム構築を可能とした。
【００２３】
また、本発明によると、上記発明において、前記無線送信装置は、無線端末局装置であり、
前記無線受信装置は、無線基地局装置であることとした。
これにより、各種無線システムを利用するシステムを用いてのシステム構築を可能とし、システム構築の多様性を確保した。
【発明を実施するための最良の形態】
【００２５】
（第１実施形態）
以下、本発明の第１実施形態を、図面を参照して説明する。
図１は、本実施形態によるＲＦＩＤ（Radio Frequency IDentification）システムの構成を示す概略ブロック図である。図１（ａ）には、ＲＦＩＤタグ装置と当該ＲＦＩＤタグ装置に近接させたＲＦＩＤリーダ装置との上面図が示されており、図１（ｂ）には、ＲＦＩＤタグ装置と当該ＲＦＩＤタグ装置に近接させたＲＦＩＤリーダ装置との側面図が示されている。
【００２６】
制御装置１００１は、ＲＦＩＤリーダ装置１００３とＲＦＩＤリーダ装置１００４を制御するための信号ｓ１００１をリーダ接続装置１００２に送信するとともに、当該リーダ接続装置１００２からの接続情報信号ｓ１００２を受信して内部の記憶領域に記録する。
接続情報信号ｓ１００２は、ＲＦＩＤリーダ装置１００３とＲＦＩＤリーダ装置１００４がＲＦＩＤタグ装置１００５とＲＦＩＤタグ装置１００６から受信したＲＦＩＤタグ装置が有する識別情報を含んだ信号である。
【００２７】
リーダ接続装置１００２は、１組のＲＦＩＤリーダ装置１００３とＲＦＩＤリーダ装置１００４を備えており、ＲＦＩＤリーダ装置１００３とＲＦＩＤリーダ装置１００４の動作を制御する。
【００２８】
また、リーダ接続装置１００２は、制御装置１００１、ＲＦＩＤリーダ装置１００３とＲＦＩＤリーダ装置１００４と接続して通信処理を行う接続処理部１１０１により構成される。
リーダ接続装置１００２における接続処理部１１０１は、制御装置１００１からの信号ｓ１００１に従って、ＲＦＩＤリーダ装置１００３とＲＦＩＤリーダ装置１００４を介して、ＲＦＩＤタグ装置１００５とＲＦＩＤタグ装置１００６のそれぞれに対して、記憶されている識別情報を読み出し、接続情報信号ｓ１００２として制御装置１００１に送信する。
【００２９】
ＲＦＩＤリーダ装置１００３とＲＦＩＤリーダ装置１００４は、それぞれ対向する１組のＲＦＩＤタグ装置１００５とＲＦＩＤタグ装置１００６との間で通信を行う。
【００３０】
ＲＦＩＤタグ装置１００５とＲＦＩＤタグ装置１００６は、それぞれ、物品Ａ１００７と物品Ｂ１００８とに実装されている。ＲＦＩＤタグ装置１００５とＲＦＩＤタグ装置１００６は、ＲＦＩＤリーダ装置１００３とＲＦＩＤリーダ装置１００４からの信号に従って、記憶している識別情報を送信する。
【００３１】
本実施形態では、物品Ａ１００７は、光ファイバのコネクタ、物品Ｂ１００８は光ファイバのプラグである。コネクタをプラグに挿入することにより、２本の光ファイバを接続することができる。本実施形態では、どの物品Ａ（コネクタ）がどの物品Ｂ(プラグ)に挿入されているかを示す組み合わせ情報を接続情報と呼ぶ。
【００３２】
図２は、制御装置１００１の詳細構成例である。
制御装置１００１は、タグ通信処理部１１０３と管理処理部１１０５と蓄積処理部１１０９、及び本実施形態で収集される情報を記憶する接続情報ＤＢ（DataBase）１１を備える。
【００３３】
制御装置１００１におけるタグ通信処理部１１０３は、ＲＦＩＤタグ装置１００５とＲＦＩＤタグ装置１００６の識別情報をリーダ接続装置１００２に要求する。また、タグ通信処理部１１０３は、リーダ接続装置１００２からの応答結果であるＲＦＩＤタグ装置の識別情報を接続情報として接続情報ＤＢ１１に記録する。
【００３４】
制御装置１００１における管理処理部１１０５は、接続情報ＤＢ１１に記憶した情報を読み出し、表示処理を行う。
【００３５】
制御装置１００１における蓄積処理部１１０９は、タグ情報処理部１１０３から入力されるＲＦＩＤタグ装置の識別情報を記憶する接続情報ＤＢ１１の入出力処理を行なう。
【００３６】
図３は、接続情報の構造を一例として示す。
ここで、接続情報ＤＢ１１は、「ＲＦＩＤタグ装置Ａ管理番号」、「ＲＦＩＤタグ装置Ｂ管理番号」の項目の情報を記憶する。ＲＦＩＤタグ装置Ａ管理番号は、ＲＦＩＤリーダ装置１００３に対向するＲＦＩＤタグ装置１００５の識別情報である。ＲＦＩＤタグ装置Ｂ管理番号は、ＲＦＩＤリーダ装置１００４に対向するＲＦＩＤタグ装置１００６の識別情報である。
【００３７】
制御装置１００１は、ＲＦＩＤタグ装置Ａ管理番号に記録された識別情報を持つＲＦＩＤタグ装置を実装した物品Ａが，ＲＦＩＤタグ装置Ｂ管理番号に記憶された識別情報を持つＲＦＩＤタグ装置を実装した物品Ｂに挿入されているものと判断する。
【００３８】
次に、図４に示す手順に基づく本第１実施形態の動作について説明する。図４に示す手順は、管理する物品の組み合わせ情報を取得するために、貼付する各ＲＦＩＤタグ装置の識別情報を収集する手順を示している。
【００３９】
最初に、制御装置１００１のタグ通信処理部１１０３は、リーダ接続装置１００２にタグ装置情報参照信号ｓ１００１を送信する。
【００４０】
リーダ接続装置１００２は、タグ装置情報参照信号ｓ１００１を受信しＲＦＩＤリーダ装置１００３に接続情報参照信号ｓ１１３１を送信する。ＲＦＩＤリーダ装置１００３は、受信した信号を中継し、ＲＦＩＤタグ装置１００５に接続情報参照信号ｓ１１５１を送信する。ＲＦＩＤタグ装置１００５は、受信した信号に応答して識別情報を含む、タグ装置情報応答ｓ１１５２を、ＲＦＩＤリーダ装置１００３に送信する。ＲＦＩＤリーダ装置１００３は、受信した信号を中継し、リーダ接続装置１００２にタグ装置情報応答ｓ１１３２を送信する。
【００４１】
また、リーダ接続装置１００２は、ＲＦＩＤタグ装置１００５からの応答があった後、他方のＲＦＩＤタグ装置１００６からの識別情報を取得する。リーダ接続装置１００２は、ＲＦＩＤリーダ装置１００４に接続情報参照信号ｓ１１４１を送信する。ＲＦＩＤリーダ装置１００４は、受信した信号を中継し、ＲＦＩＤタグ装置１００６に接続情報参照信号ｓ１１６１を送信する。ＲＦＩＤタグ装置１００６は、受信した信号に応答して識別情報を含む、タグ装置情報応答ｓ１１６２を、ＲＦＩＤリーダ装置１００４に送信する。ＲＦＩＤリーダ装置１００４は、受信した信号を中継し、リーダ接続装置１００２にタグ装置情報応答ｓ１１４２を送信する。
【００４２】
リーダ接続装置１００２は、受信したそれぞれの応答信号を取りまとめて、接続情報信号ｓ１００２で制御装置１００１に送信する。制御装置１００１のタグ通信処理部１１０３は、受信したＲＦＩＤタグ装置の識別情報を制御装置１００１の接続情報ＤＢ１１に記録する。
【００４３】
以上により、リーダ接続装置１００２に接続されている２つのＲＦＩＤリーダ装置の配置の関係を利用して、対向するＲＦＩＤタグ装置と関連する各物品（物品Ａと物品Ｂ）の接続状態を収集できることがわかる。
【００４４】
なお、リーダ接続装置１００２から、２つのＲＦＩＤリーダ装置１００３とＲＦＩＤリーダ装置１００４とをアクセスする手順について、上記説明では、１つのＲＦＩＤタグ装置からの応答があった後、他方のＲＦＩＤタグ装置をアクセスする手順として説明した。他の手順として、複数のＲＦＩＤタグ装置に対して、まとめて要求信号を送信する手順をとり、当該ＲＦＩＤタグ装置からの応答を待ちリーダ接続装置１００２が制御装置１００１に接続情報ｓ１００２を送信する方法による手順をとることも可能である。
リーダ接続装置１００２は、タグ装置情報参照信号ｓ１００１を受信しＲＦＩＤリーダ装置１００３に接続情報参照信号ｓ１１３１を送信する。
続いて、リーダ接続装置１００２は、送信した接続情報参照信号ｓ１１３１に対してのＲＦＩＤタグ装置１００５からの応答を待たずに、他方のＲＦＩＤタグ装置１００６からの識別情報の取得手順を開始する。すなわち、リーダ接続装置１００２は、ＲＦＩＤリーダ装置１００４に接続情報参照信号ｓ１１４１を送信する。
各ＲＦＩＤリーダ装置は、上記の接続情報参照信号に対する処理を独立して次の処理を行う。
ＲＦＩＤリーダ装置１００３は、受信した信号を中継し、ＲＦＩＤタグ装置１００５に接続情報参照信号ｓ１１５１を送信する。ＲＦＩＤタグ装置１００５は、受信した信号に応答して識別情報を含む、タグ装置情報応答ｓ１１５２を、ＲＦＩＤリーダ装置１００３に送信する。ＲＦＩＤリーダ装置１００３は、受信した信号を中継し、リーダ接続装置１００２にタグ装置情報応答ｓ１１３２を送信する。
【００４５】
また、ＲＦＩＤリーダ装置１００４は、受信した信号を中継し、ＲＦＩＤタグ装置１００６に接続情報参照信号ｓ１１６１を送信する。ＲＦＩＤタグ装置１００６は、受信した信号に応答して識別情報を含む、タグ装置情報応答ｓ１１６２を、ＲＦＩＤリーダ装置１００４に送信する。ＲＦＩＤリーダ装置１００４は、受信した信号を中継し、リーダ接続装置１００２にタグ装置情報応答ｓ１１４２を送信する。
【００４６】
リーダ接続装置１００２は、受信したそれぞれの応答信号を取りまとめて、接続情報信号ｓ１００２で制御装置１００１に送信する。
以上の手順により、各ＲＦＩＤタグ装置からの識別情報を収集する時間の短縮が行える。
【００４７】
なお、制御装置１００１とリーダ接続装置１００２との通信における識別情報の送信方法において、どのＲＦＩＤタグ装置の識別情報であるかを定義する方法として、ＲＦＩＤタグ装置の識別情報の送付順を予め定められた配列の順序に従う当該ＲＦＩＤタグ装置の情報と定義することも可能である。一方、所定のＲＦＩＤリーダ装置に付与された識別情報を配列のインデックス情報とし、ＲＦＩＤタグ装置の識別情報と組み合わせて当該ＲＦＩＤタグ装置の識別情報とすることも可能である。
【００４８】
また、本実施形態としては、２つのＲＦＩＤリーダ装置１００３とＲＦＩＤリーダ装置１００４の組み合わせで説明したが、３個以上複数のＲＦＩＤリーダ装置の関係を管理するリーダ接続装置としてもよい。それにより、３個以上複数の物品の組み合わせ状態を収集することができる。
【００４９】
（第２実施形態）
第１実施形態の構成の変形で、複数の物体の組み合わせを管理する実施形態を説明する。
以下、本発明の第２実施形態を、図面を参照して説明する。
図５（ａ）、（ｂ）は、本第２実施形態によるＲＦＩＤシステムの構成を示す概略ブロック図である。図５（ａ）には、ＲＦＩＤタグ装置と当該ＲＦＩＤタグ装置に近接させたＲＦＩＤリーダ装置との上面図が示されており、図５（ｂ）には、ＲＦＩＤタグ装置と当該ＲＦＩＤタグ装置に近接させたＲＦＩＤリーダ装置との側面図が示されている。
【００５０】
制御装置２００１は、ＲＦＩＤリーダ装置２００３−１〜２００３−ｎとＲＦＩＤリーダ装置２００４−１〜２００４−ｎを制御するための信号ｓ２００１をＲＦＩＤリーダ接続装置２００２に送信するとともに、当該ＲＦＩＤリーダ接続装置２００２からの接続情報信号ｓ２００２を受信して内部領域に記録する。接続情報信号ｓ２００２は、ＲＦＩＤリーダ装置２００３−１〜２００３−ｎとＲＦＩＤリーダ装置２００４−１〜２００４−ｎがＲＦＩＤタグ装置２００５−１〜２００５−ｎとＲＦＩＤタグ装置２００６−１〜２００６−ｎから受信したＲＦＩＤタグ装置２００５−１〜２００５−ｎとＲＦＩＤタグ装置２００６−１〜２００６−ｎの識別情報を含んだ信号である。
【００５１】
リーダ接続装置２００２は、制御装置２００１と、接続される複数のＲＦＩＤリーダ装置と通信処理を行う接続処理部２１０１により構成される。
リーダ接続装置２００２に接続されるＲＦＩＤリーダ装置は、ｎ組のＲＦＩＤリーダ装置２００３−１〜２００３−ｎとＲＦＩＤリーダ装置２００４−１〜２００４−ｎとなる。リーダ接続装置２００２における接続処理部２１０１は、ＲＦＩＤリーダ装置２００３−１〜２００３−ｎとＲＦＩＤリーダ装置２００４−１〜２００４−ｎの動作を制御する。
【００５２】
さらに、ＲＦＩＤリーダ装置２００３−１〜２００３−ｎとＲＦＩＤリーダ装置２００４−１〜２００４−ｎは、２つで一組として用いられ、それぞれ各組が並列に配列されている。
すなわち、ＲＦＩＤリーダ装置２００３−１〜２００３−ｎとＲＦＩＤリーダ装置２００４−１〜２００４−ｎは、並列に配列され２つで一組として用いられる。そして、ＲＦＩＤリーダ装置２００３−１〜２００３−ｎとＲＦＩＤリーダ装置２００４−１〜２００４−ｎは、物品Ａ２００７−１〜２００７−ｎと物品Ｂ２００８−１〜２００８−ｎに貼付されたＲＦＩＤタグ装置２００５−１〜２００５−ｎとＲＦＩＤタグ装置２００６−１〜２００６−ｎと対向するようになっている。
【００５３】
また、リーダ接続装置２００２における接続処理部２１０１は、制御装置２００１からの信号ｓ２００１に従って、ＲＦＩＤリーダ装置２００３−１〜２００３−ｎとＲＦＩＤリーダ装置２００４−１〜２００４−ｎを介して、ＲＦＩＤタグ装置２００５−１〜２００５−ｎとＲＦＩＤタグ装置２００６−１〜２００６−ｎのそれぞれに対して、記憶されている識別情報を読み出し、接続情報信号ｓ２００２として制御装置２００１に送信する。
【００５４】
ＲＦＩＤリーダ装置２００３−１〜２００３−ｎとＲＦＩＤリーダ装置２００４−１〜２００４−ｎは、それぞれ対向するＲＦＩＤタグ装置２００５−１〜２００５−ｎとＲＦＩＤタグ装置２００６−１〜２００６−ｎとの間で通信を行う。
【００５５】
また、ＲＦＩＤタグ装置２００５−１〜２００５−ｎとＲＦＩＤタグ装置２００６−１〜２００６−ｎは、物品Ａ２００７−１〜２００７−ｎと物品Ｂ２００８−１〜２００８−ｎに実装されている。ＲＦＩＤタグ装置２００５−１〜２００５−ｎとＲＦＩＤタグ装置２００６−１〜２００６−ｎは、ＲＦＩＤリーダ装置２００３−１〜２００３−ｎとＲＦＩＤリーダ装置２００４−１〜２００４−ｎからの信号に従って、記憶している識別情報を送信する。          
【００５６】
本実施形態では、物品Ａ２００７−１〜物品Ｂ２００７−ｎは光ファイバのコネクタ、物品Ｂ２００８−１〜物品Ｂ２００８−ｎは光ファイバのプラグである。コネクタをプラグに挿入することにより、２本の光ファイバを接続することができる。本実施形態では、どの物品Ａ（コネクタ）がどの物品Ｂ(プラグ)に挿入されているかを示す組み合わせ情報を接続情報と呼ぶ。
【００５７】
図６は、制御装置２００１の詳細構成例である。
制御装置２００１は、タグ通信処理部２１０３と管理処理部２１０５と蓄積処理部２１０９、及び、本実施形態で収集される情報を記憶する、接続情報ＤＢ２１を備える。
【００５８】
制御装置２００１におけるタグ通信処理部２１０３は、ＲＦＩＤタグ装置２００５−１〜２００５−ｎとＲＦＩＤタグ装置２００６−１〜２００６−ｎの識別情報をリーダ接続装置２００２に要求する。また、タグ通信処理部２１０３は、リーダ接続装置２００２からの応答結果であるＲＦＩＤタグ装置の識別情報を接続情報として接続情報ＤＢ２１に記録する。
【００５９】
制御装置２００１における管理処理部２１０５は、接続情報ＤＢ２１に記憶した情報を読み出し、表示処理を行う。
【００６０】
制御装置２００１における蓄積処理部２１０９は、タグ情報処理部２１０３から入力されるＲＦＩＤタグ装置の識別情報を記憶する、タグ装置読取情報ＤＢ２１の入出力処理を行なう。
【００６１】
図７は、接続情報の構造を一例として示す。
ここで、接続情報ＤＢ２１は、「ＲＦＩＤタグ装置Ａ管理番号」、「ＲＦＩＤタグ装置Ｂ管理番号」の項目の情報を記憶する。
ＲＦＩＤタグ装置Ａ管理番号は、ＲＦＩＤリーダ装置２００３−１〜２００３−ｎに対向するＲＦＩＤタグ装置２００５−１〜２００５−ｎの識別情報である。ＲＦＩＤタグ装置Ｂ管理番号は、ＲＦＩＤリーダ装置２００４−１〜２００４−ｎに対向するＲＦＩＤタグ装置２００６−１〜２００６−ｎの識別情報である。それぞれの組み合わせにより、ｎ組の並列構成となる。
１組目はＲＦＩＤタグ装置２００５−１とＲＦＩＤタグ装置２００６−１、２組目はＲＦＩＤタグ装置２００５−２とＲＦＩＤタグ装置２００６−２、さらに、ｎ組目はＲＦＩＤタグ装置２００５−ｎとＲＦＩＤタグ装置２００６−ｎとなり、ｎ組の並列構成を示す組み合わせをとる。それぞれの組み合わせ結果が、接続情報として示されている。
【００６２】
制御装置２００１は、ＲＦＩＤタグ装置Ａ管理番号に記録された識別情報を持つＲＦＩＤタグ装置を実装した物品Ａが，ＲＦＩＤタグ装置Ｂ管理番号に記憶された識別情報を持つＲＦＩＤタグ装置を実装した物品Ｂに挿入されているものと判断する。
【００６３】
次に、図８に示す手順に基づく本第２実施形態の動作について説明する。図８に示す手順は、管理する物品の組み合わせ情報を取得するために、貼付する各ＲＦＩＤタグ装置の識別情報を収集する手順を示している。
制御装置２００１は、ＲＦＩＤタグ装置２００５−１〜２００５−ｎ、ＲＦＩＤタグ装置２００６−１〜２００６−ｎの識別情報を取得する。
【００６４】
ここで、制御装置２００１のタグ通信処理部２１０３は、リーダ接続装置２００２にタグ装置情報参照信号ｓ２００１を送信する。これを受け、リーダ接続装置２００２は、ＲＦＩＤリーダ装置２００３−１とＲＦＩＤリーダ装置２００４−１に、識別情報を要求する。
【００６５】
まず、リーダ接続装置２００２は、ＲＦＩＤリーダ装置２００３−１に接続情報参照信号ｓ２１３１−１を送信する。ＲＦＩＤリーダ装置２００３−１は、受信した信号を中継し、ＲＦＩＤタグ装置２００５−１に接続情報参照信号ｓ２１５１−１を送信する。ＲＦＩＤタグ装置２００５−１は、受信した信号に応答して識別情報を含む、タグ装置情報応答ｓ２１５２−１により、ＲＦＩＤリーダ装置２００３−１に送信する。ＲＦＩＤリーダ装置２００３−１は、受信した信号を中継し、リーダ接続装置２００２にタグ装置情報応答ｓ２１３２−１で送信する。
また、リーダ接続装置２００２は、ＲＦＩＤリーダ装置２００４−１に接続情報参照信号ｓ２１４１−１を送信する。ＲＦＩＤリーダ装置２００４−１は、受信した信号を中継し、ＲＦＩＤタグ装置２００６−１に接続情報参照信号ｓ２１６１−１を送信する。ＲＦＩＤタグ装置２００６−１は、受信した信号に応答して識別情報を含む、タグ装置情報応答ｓ２１６２−１により、ＲＦＩＤリーダ装置２００４−１に送信する。ＲＦＩＤリーダ装置２００４−１は、受信した信号を中継し、リーダ接続装置２００２にタグ装置情報応答ｓ２１４２−１で送信する。
【００６６】
続いて、リーダ接続装置２００２は、次のＲＦＩＤタグ装置の組み合わせに対して、識別情報の収集にかかる。すなわち、リーダ接続装置２００２は、ＲＦＩＤリーダ装置２００３−２とＲＦＩＤリーダ装置２００４−２に、識別情報を要求する。
【００６７】
リーダ接続装置２００２は、ＲＦＩＤリーダ装置２００３−２に接続情報参照信号ｓ２１３１−２を送信する。ＲＦＩＤリーダ装置２００３−２は、受信した信号を中継し、ＲＦＩＤタグ装置２００５−２に接続情報参照信号ｓ２１５１−２を送信する。ＲＦＩＤタグ装置２００５−２は、受信した信号に応答して識別情報を含む、タグ装置情報応答ｓ２１５２−２を、ＲＦＩＤリーダ装置２００３−２に送信する。ＲＦＩＤリーダ装置２００３−２は、受信した信号を中継し、リーダ接続装置２００２にタグ装置情報応答ｓ２１３２−２で送信する。
また、リーダ接続装置２００２は、ＲＦＩＤリーダ装置２００４−２に接続情報参照信号ｓ２１４１−２を送信する。ＲＦＩＤリーダ装置２００４−２は、受信した信号を中継し、ＲＦＩＤタグ装置２００６−２に接続情報参照信号ｓ２１６１−２を送信する。ＲＦＩＤタグ装置２００６―２は、受信した信号に応答して識別情報を含む、タグ装置情報応答ｓ２１６２−２を、ＲＦＩＤリーダ装置２００４−２に送信する。ＲＦＩＤリーダ装置２００４−２は、受信した信号を中継し、リーダ接続装置２００２にタグ装置情報応答ｓ２１４２−２で送信する。
【００６８】
同様に繰り返し、リーダ接続装置２００２が、すべてのＲＦＩＤタグ装置２００５−１〜２００５−ｎとＲＦＩＤタグ装置２００６−１〜２００６−ｎの識別情報を取得する。リーダ接続装置２００２は、それぞれの応答信号を取りまとめて、接続情報ｓ２００２で制御装置２００１に送信する。
制御処理部のタグ通信処理部２１０３は、受信したＲＦＩＤタグ装置の識別情報を制御装置２００１の接続情報ＤＢ２１に記録する。
【００６９】
以上により、リーダ接続装置２００２に接続されている対になるＲＦＩＤリーダ装置の配置の関係を利用して、ｎ組の対向するＲＦＩＤタグ装置と関連する各物品（物品Ａと物品Ｂ）の接続状態を収集できることがわかる。  
【００７０】
なお、リーダ接続装置２００２から、１対のＲＦＩＤリーダ装置をアクセスする手順について、上記説明では、１つのＲＦＩＤタグ装置からの応答があった後、他方のＲＦＩＤタグ装置をアクセスする手順を説明した。他の方法として、複数のＲＦＩＤタグ装置に対して同時に要求信号を送信する手順により、当該ＲＦＩＤタグ装置からの応答を待ちリーダ接続装置２００２が制御装置２００１に接続情報ｓ２００２を送信する方法をとることも可能である。
リーダ接続装置２００２は、タグ装置情報参照信号ｓ２００１を受信しＲＦＩＤリーダ装置２００３−１に接続情報参照信号ｓ２１３１−１を送信する。
続いて、リーダ接続装置２００２は、送信した接続情報参照信号ｓ２１３１−１に対してのＲＦＩＤタグ装置２００５−１からの応答を待たずに、他方のＲＦＩＤタグ装置２００６−１からの識別情報の取得手順を開始する。すなわち、リーダ接続装置２００２は、ＲＦＩＤリーダ装置２００４−１に接続情報参照信号ｓ２１４１−１を送信する。
各ＲＦＩＤリーダ装置は、上記の接続情報参照信号に対する処理を独立して次の処理を行う。
ＲＦＩＤリーダ装置２００３−１は、受信した信号を中継し、ＲＦＩＤタグ装置２００５−１に接続情報参照信号ｓ２１５１−１を送信する。ＲＦＩＤタグ装置２００５−１は、受信した信号に応答して識別情報を含む、タグ装置情報応答ｓ２１５２−１を、ＲＦＩＤリーダ装置２００３−１に送信する。ＲＦＩＤリーダ装置２００３−１は、受信した信号を中継し、リーダ接続装置２００２にタグ装置情報応答ｓ２１３２−１を送信する。
【００７１】
また、ＲＦＩＤリーダ装置２００４−１は、受信した信号を中継し、ＲＦＩＤタグ装置２００６−１に接続情報参照信号ｓ２１６１−１を送信する。ＲＦＩＤタグ装置２００６−１は、受信した信号に応答して識別情報を含む、タグ装置情報応答ｓ２１６２−１を、ＲＦＩＤリーダ装置２００４−１に送信する。ＲＦＩＤリーダ装置２００４−１は、受信した信号を中継し、リーダ接続装置２００２にタグ装置情報応答ｓ２１４２−１を送信する。
【００７２】
リーダ接続装置２００２は、他のＲＦＩＤリーダ群からもそれぞれの応答信号を受信し、取りまとめて、接続情報信号ｓ２００２で制御装置２００１に送信する。
以上の手順により、各ＲＦＩＤタグ装置からの識別情報を収集する時間の短縮が行える。
【００７３】
なお、制御装置２００１とリーダ接続装置２００２との通信における識別情報の送信方法において、どのＲＦＩＤタグ装置の識別情報であるかを定義する方法として、ＲＦＩＤタグ装置の識別情報の送付順を予め定められた配列の順序に従う当該ＲＦＩＤタグ装置の情報と定義することも可能である。一方、所定のＲＦＩＤリーダ装置に付与された識別情報を配列のインデックス情報とし、ＲＦＩＤタグ装置の識別情報と組み合わせて当該ＲＦＩＤタグ装置の識別情報とすることも可能である。
【００７４】
また、第２実施形態では、リーダ接続装置２００２が、ｎ組のＲＦＩＤリーダ装置をアクセスする手順について、上記説明では、１つのＲＦＩＤタグ装置からの応答があった後、他方のＲＦＩＤタグ装置をアクセスする手順とし、その手順をｎ回繰り返すものとした。しかし、他の方法として、複数のＲＦＩＤタグ装置に対して同時に要求信号を送信する手順をとり、当該ＲＦＩＤタグ装置からの応答を待ちリーダ接続装置２００２が制御装置２００１に接続情報ｓ２００２を送信する方法をとることも可能である。本方式をとることにより、接続情報の収集時間の短縮することが可能となる。
【００７５】
また、本実施形態としては、１対のＲＦＩＤリーダ装置をｎ組の組み合わせる構成で説明したが、３個以上の複数のＲＦＩＤリーダ装置の関係を管理するリーダ接続装置を利用してもよい。それにより複数の物品の組み合わせ状態を収集することができる。
【００７６】
（第３実施形態）
第１実施形態と第２実施形態では、ＲＦＩＤシステムを利用した無線通信による方法を説明した。
ＲＦＩＤシステムでは、装置の小型化、伝播距離が比較的近距離を得意とする構成であったが、さらにシステムを広域化・大規模化する場合には、他の無線技術を利用する構成とする場合にも本発明を適応できる。
以下、本発明の第３実施形態を、図面を参照して説明する。
【００７７】
図９は、本実施形態による無線システムの構成を示す概略ブロック図である。
図９（ａ）には、無線端末局装置と当該無線端末局装置に近接させた無線基地局装置との上面図が示されており、図９（ｂ）には、無線端末局装置と当該無線端末局装置に近接させた無線基地局装置との側面図が示されている。
【００７８】
制御装置６００１は、無線基地局装置６００３と無線基地局装置６００４を制御するための無線端末局装置情報参照信号ｓ６００１を基地局接続装置６００２に送信するとともに、当該基地局接続装置６００２からの接続情報信号ｓ６００２を受信して内部領域に記録する。
接続情報信号ｓ６００２は、無線基地局装置６００３と無線基地局装置６００４が、無線端末局装置６００５と無線端末局装置６００６とから受信した無線端末局装置６００３と無線基地局装置６００４の識別情報を含んだ信号である。
【００７９】
基地局接続装置６００２は、１組の無線基地局装置６００３と無線基地局装置６００４を備えており、無線基地局装置６００３と無線基地局装置６００４の動作を制御する。
【００８０】
また、基地局接続装置６００２は、制御装置６００１と、無線基地局装置６００３と無線基地局装置６００４と接続して通信処理を行う接続処理部６１０１により構成される。
基地局接続装置６００２における接続処理部６１０１は、制御装置６００１からの信号ｓ６００１に従って、無線基地局装置６００３と無線基地局装置６００４を介して、無線端末局装置６００５と無線端末局装置６００６のそれぞれに対して、記憶されている識別情報を読み出し、接続情報信号ｓ６００２として制御装置６００１に送信する。
【００８１】
無線基地局装置６００３と無線基地局装置６００４は、それぞれ対向する１組の無線端末局装置６００５と無線端末局装置６００６との間で通信を行う。
【００８２】
無線端末局装置６００５と無線端末局装置６００６は、それぞれ、物品Ａ６００７と物品Ｂ６００８とに実装されている。無線端末局装置６００５と無線端末局装置６００６は、無線基地局装置６００３と無線基地局装置６００４からの信号に従って、記憶している識別情報を送信する。
【００８３】
本実施形態では、物品Ａ６００７は貨物自動車、物品Ｂ６００８はコンテナである。コンテナを貨物自動車の荷台に載せることにより、貨物自動車とコンテナが接続されたものとみなす。本実施形態では、どの物品Ａ（貨物自動車）がどの物品Ｂ(コンテナ)を載せているかを示す組み合わせ情報を接続情報と呼ぶ。
【００８４】
図１０は、制御装置６００１の詳細構成例である。
制御装置６００１は、端末装置通信処理部６１０３と管理処理部６１０５と蓄積処理部６１０９、及び、本実施形態で収集される情報を記憶する接続情報ＤＢ６１を備える。
【００８５】
制御装置６００１における端末装置通信処理部６１０３は、無線端末局装置６００５と無線端末局装置６００６の識別情報を基地局接続装置６００２に要求する。また、端末装置通信処理部６１０３は、基地局接続装置６００２からの応答結果である無線端末局装置の識別情報を接続情報として接続情報ＤＢ６１に記録する。
【００８６】
制御装置６００１における管理処理部６１０５は、接続情報ＤＢ６１に記憶した情報を読み出し、表示処理を行う。
【００８７】
制御装置６００１における蓄積処理部６１０９は、端末装置通信処理部６１０３から入力される無線端末局装置の識別情報を記憶する接続情報ＤＢ６１の入出管理を行なう。
【００８８】
図１１は、接続情報の構造を一例として示す。
ここで、接続情報ＤＢ６１は、「無線端末局装置Ａ管理番号」、「無線端末局装置Ｂ管理番号」の項目の情報を記憶する。無線端末局Ａ管理番号は、無線基地局装置６００３に対向する無線端末局装置６００５の識別情報である。無線端末局装置Ｂ管理番号は、無線基地局装置６００４に対向する無線端末局装置６００６の識別情報である。
【００８９】
制御装置６００１は、無線端末局装置Ａ管理番号に記録された識別情報を持つ無線端末局装置を実装した物品Ａが，無線端末局装置Ｂ管理番号に記憶された識別情報を持つ無線端末局装置を実装した物品Ｂを載せているものと判断する。
【００９０】
次に、図１２に示す手順に基づく本第３実施形態の動作について説明する。図１２に示す手順は、管理する物品の組み合わせ情報を取得するために、貼付する各無線端末局装置の識別情報を収集する手順を示している。
【００９１】
最初に、制御装置６００１の端末装置通信処理部６１０３は、基地局接続装置６００２に無線端末局装置情報参照信号ｓ６００１を送信する。
【００９２】
基地局接続装置６００２は、無線端末局装置情報参照信号ｓ６００１を受信し、無線基地局装置６００３に接続情報参照信号ｓ６１３１を送信する。無線基地局装置６００３は、受信した信号を中継し、無線端末局装置６００５に接続情報参照信号ｓ６１５１を送信する。無線端末局装置６００５は、受信した信号に応答して識別情報を含む、端末装置情報応答ｓ６１５２を、無線基地局装置６００３に送信する。無線基地局装置６００３は、受信した信号を中継し、基地局接続装置６００２に端末装置情報応答ｓ６１３２で送信する。
【００９３】
また、基地局接続装置６００２は、無線端末局装置６００５からの応答があった後、他方の無線端末局装置６００６からの識別情報を取得する。同様に基地局接続装置６００２は、無線基地局装置６００４に接続情報参照信号ｓ６１４１を送信する。無線基地局装置６００４は、受信した信号を中継し、無線端末局装置６００６に接続情報参照信号ｓ６１６１を送信する。無線端末局装置６００６は、受信した信号に応答して識別情報を含む、端末装置情報応答ｓ６１６２を、無線基地局装置６００４に送信する。無線基地局装置６００４は、受信した信号を中継し、基地局接続装置６００２に端末装置情報応答ｓ６１４２で送信する。
【００９４】
基地局接続装置６００２は、受信したそれぞれの応答信号を取りまとめて、接続情報信号ｓ６００２で制御装置６００１に送信する。制御装置６００１の端末装置通信処理部６１０３は、受信した無線端末局装置の識別情報を制御装置６００１の接続情報ＤＢ６１に記録する。
【００９５】
以上により、基地局接続装置６００２に接続されている２つの無線基地局装置の関係を利用して、対向する無線端末局装置と関連する各物品（物品Ａと物品Ｂ）の接続状態を収集できることがわかる。
【００９６】
なお、基地局接続装置６００２から、２つの無線基地局装置６００３と無線基地局装置６００４とをアクセスする手順について、上記説明では、１つの無線端末局装置からの応答があった後、他方の無線端末局装置をアクセスする手順として説明した。他の手順として、複数の無線端末局装置に対して、まとめて要求信号を送信する手順をとり、当該無線端末局装置からの応答を待ち基地局接続装置６００２が制御装置６００１に接続情報ｓ６００２を送信する方法による手順をとることも可能である。
基地局接続装置６００２は、無線端末局装置情報参照信号ｓ６００１を受信し無線基地局装置６００３に接続情報参照信号ｓ６１３１を送信する。
続いて、基地局接続装置６００２は、送信した接続情報参照信号ｓ６１３１に対しての無線端末局装置６００５からの応答を待たずに、他方の無線端末局装置６００６からの識別情報の取得手順を開始する。すなわち、基地局接続装置６００２は、無線基地局装置６００４に接続情報参照信号ｓ６１４１を送信する。
各無線基地局装置は、上記の接続情報参照信号に対する処理を独立して次の処理を行う。
無線基地局装置６００３は、受信した信号を中継し、無線端末局装置６００５に接続情報参照信号ｓ６１５１を送信する。無線端末局装置６００５は、受信した信号に応答して識別情報を含む、無線端末局装置情報応答ｓ６１５２を、無線基地局装置６００３に送信する。無線基地局装置６００３は、受信した信号を中継し、基地局接続装置６００２に無線端末局装置情報応答ｓ６１３２を送信する。
【００９７】
また、無線基地局装置６００４は、受信した信号を中継し、無線端末局装置６００６に接続情報参照信号ｓ６１６１を送信する。無線端末局装置６００６は、受信した信号に応答して識別情報を含む、無線端末局装置情報応答ｓ６１６２を、無線基地局装置６００４に送信する。無線基地局装置６００４は、受信した信号を中継し、基地局接続装置６００２に無線端末局装置情報応答ｓ６１４２を送信する。
【００９８】
基地局接続装置６００２は、受信したそれぞれの応答信号を取りまとめて、接続情報信号ｓ６００２で制御装置６００１に送信する。
以上の手順により、各無線端末局装置からの識別情報を収集する時間の短縮が行える。
【００９９】
なお、制御装置６００１と基地局接続装置６００２との通信における識別情報の送信方法において、どの無線端末局装置の識別情報であるかを定義する方法として、無線端末局装置の識別情報の送付順に予め定められた配列の順序に従う当該無線端末局装置の情報と定義することも可能である。一方、所定の無線基地局装置の識別情報を配列のインデックス情報とし、無線端末局装置の識別情報と組み合わせて当該無線端末局装置の識別情報とすることも可能である。
【０１００】
また、本実施形態としては、２つの無線基地局装置６００３と無線基地局装置６００４の組み合わせで説明したが、３個以上複数の無線基地局装置の関係を管理する基地局接続装置としてもよい。それにより、３個以上複数の物品の組み合わせ状態を収集することができる。
【０１０１】
（第４実施形態）
第２実施形態では、ＲＦＩＤシステムを利用する形態を説明した。
ＲＦＩＤシステムでは、装置の小型化、伝播距離が比較的近距離を得意とする構成であったが、さらにシステムを広域化・大規模化する場合には、他の無線技術を利用する構成とする場合にも本発明を適応できる。
以下に、本発明の第４実施形態について説明する。
【０１０２】
図１３（ａ）、（ｂ）は、本第４実施形態による無線システムの構成を示す概略ブロック図である。図１３（ａ）には、無線端末局装置と当該無線端末局装置に近接させた無線基地局装置との上面図が示されており、図１３（ｂ）には、無線端末局装置と当該無線端末局装置に近接させた無線基地局装置との側面図が示されている。
【０１０３】
制御装置７００１は、無線基地局装置７００３−１〜７００３−ｎと無線基地局装置７００４−１〜７００４−ｎを制御するための無線端末局装置情報参照信号ｓ７００１を基地局接続装置７００２に送信するとともに、当該基地局接続装置７００２からの接続情報信号ｓ７００２を受信して内部領域に記録する。    
接続情報信号ｓ７００２は、無線基地局装置７００３−１〜７００３−ｎと無線基地局装置７００４−１〜７００４−ｎが無線端末局装置７００５−１〜７００５−ｎと無線端末局装置７００６−１〜７００６−ｎとから受信した無線端末局装置７００５−１〜７００５−ｎと無線端末局装置７００６−１〜７００６−ｎが有する識別情報を含んだ情報である。
【０１０４】
基地局接続装置７００２は、制御装置７００１と、接続される複数の無線基地局装置と通信処理を行う接続処理部７１０１により構成される。
基地局接続装置７００２に接続される無線基地局装置は、ｎ組の無線基地局装置７００３−１〜７００３−ｎと無線基地局装置７００４−１〜７００４−ｎとなる。基地局接続装置７００２における接続処理部７１０１は、無線基地局装置７００３−１〜７００３−ｎと無線端末局装置７００４−１〜７００４−ｎの動作を制御する。
【０１０５】
さらに、無線基地局装置７００３−１〜７００３−ｎと無線基地局装置７００４−１〜７００４−ｎは、２つで一組として用いられ、各組が並列に配列されている。すなわち、無線基地局装置７００３−１〜７００３−ｎと無線基地局装置７００４−１〜７００４−ｎは、並列に配列され２つで一組として用いられる。そして、無線基地局装置７００３−１〜７００３−ｎと無線基地局装置７００４−１〜７００４−ｎは、物品Ａ７００７−１〜７００７−ｎと物品Ｂ７００８−１〜７００８−ｎに貼付された無線端末局装置７００５−１〜７００５−ｎと無線端末局装置７００６−１〜７００６−ｎと対向するようになっている。
【０１０６】
また、基地局接続装置７００２における接続処理部７１０１は、制御装置７００１からの無線端末局装置情報参照信号ｓ７００１に従って、無線基地局装置７００３−１〜７００３−ｎと７００４−１〜７００４−ｎを介して、無線端末局装置７００５−１〜７００５−ｎと７００６−１〜７００６−ｎのそれぞれに対して、記憶されている識別情報を読み出し、接続情報信号ｓ７００２として制御装置７００１に送信する。
【０１０７】
無線基地局装置７００３−１〜７００３−ｎと無線基地局装置７００４−１〜７００４−ｎは、それぞれ対向する無線端末局装置７００５−１〜７００５−ｎと無線端末局装置７００６−１〜７００６−ｎとの間で通信を行う。
【０１０８】
また、無線端末局装置７００５−１〜７００５−ｎと無線端末局装置７００６−１〜７００６−ｎは、物品Ａ７００７−１〜７００７−ｎと物品Ｂ７００８−１〜７００８−ｎに実装されている。無線端末局装置７００５−１〜７００５−ｎと無線端末局装置７００６−１〜７００６−ｎは、無線基地局装置７００３−１〜７００３−ｎと無線基地局装置７００４−１〜７００４−ｎからの信号に従って、記憶している識別情報を送信する。
【０１０９】
本実施形態では、物品Ａ７００７−１〜７００７−ｎは貨車、物品Ｂ７００８−１〜７００８−ｎはコンテナである。コンテナを貨車に載せることにより、貨車とコンテナが接続されたものとみなす。本実施形態では、どの物品Ａ（貨車）がどの物品Ｂ(コンテナ)を載せているかを示す組み合わせ情報を接続情報と呼ぶ。
【０１１０】
図１４は、制御装置７００１の詳細構成例である。
制御装置７００１は、端末装置通信処理部７１０３と管理処理部７１０５と蓄積処理部７１０９、及び、本実施形態で収集される情報を記憶する、接続情報ＤＢ７１を備える。
【０１１１】
制御装置７００１における端末装置通信処理部７１０３は、無線端末局装置７００５−１〜７００５−ｎと無線端末局装置７００６−１〜７００６−ｎの識別情報を基地局接続装置７００２に要求する。また、端末装置通信処理部７１０３は、基地局接続装置７００２からの応答結果である無線端末局装置の識別情報を接続情報として接続情報ＤＢ７１に記録する。
【０１１２】
制御装置７００１における管理処理部７１０５は、接続情報ＤＢ７１に記憶した情報を読み出し、表示処理を行う。
【０１１３】
制御装置７００１における蓄積処理部７１０９は、端末装置通信処理部７１０３から入力される無線端末局装置の識別情報を記憶する接続情報ＤＢ７１の入出力処理を行う。
【０１１４】
図１５は、接続情報の構造を一例として示す。
ここで、接続情報ＤＢ７１は、「無線端末局装置Ａ管理番号」、「無線端末局装置Ｂ管理番号」の項目の情報を記憶する。
無線端末局装置Ａ管理番号は、無線基地局装置７００３−１〜７００３−ｎに対向する無線端末局装置７００５−１〜７００５−ｎの識別情報である。無線端末局装置Ｂ管理番号は、無線基地局装置７００４−１〜７００４−ｎに対向する無線端末局装置７００６−１〜７００６−ｎの識別情報である。それぞれの組み合わせにより、ｎ組の並列構成となる。
１組目が無線端末局装置７００５−１と無線端末局装置７００６−１、２組目が無線端末局装置７００５−２と無線端末局装置７００６−２、さらに、ｎ組目が無線端末局装置７００５−ｎと無線端末局装置７００６−ｎとなり、ｎ組の並列構成を示すとの組み合わせとなる。それぞれの組み合わせ結果が、接続情報として示されている。
【０１１５】
制御装置７００１は、無線端末局装置Ａ管理番号に記録された識別情報を持つ無線端末局装置を実装した物品Ａが，無線端末局装置Ｂ管理番号に記憶された識別情報を持つ無線端末局装置を実装した物品Ｂを載せているものと判断する。
【０１１６】
次に、図１６に示す手順に基づく本第４実施形態の動作について説明する。図１６に示す手順は、管理する物品の組み合わせ情報を取得するために、貼付する各無線端末局装置の識別情報を収集する手順を示している。
制御装置２００１は、無線端末局装置７００５−１〜７００５−ｎ、無線端末局装置７００６−１〜７００６−ｎの識別情報を取得する。
【０１１７】
ここで、制御装置７００１の端末装置通信処理部７１０３は、基地局接続装置７００２に無線端末局装置情報参照信号ｓ７００１を送信する。
基地局接続装置７００２は、無線基地局装置７００３−１と無線基地局装置７００４−１に、識別情報を要求する。
【０１１８】
まず、基地局接続装置７００２は、無線基地局装置７００３−１に接続情報参照信号ｓ７１３１−１を送信する。無線基地局装置７００３−１は、受信した信号を中継し、無線端末局装置７００５−１に接続情報参照信号ｓ７１５１−１を送信する。無線端末局装置７００５−１は、受信した信号に応答して識別情報を含む、端末装置情報応答ｓ７１５２−１を、無線基地局装置７００３−１に送信する。無線基地局装置７００３−１は、受信した信号を中継し、基地局接続装置７００２に端末装置情報応答ｓ７１３２−１で送信する。
また、基地局接続装置７００２は、無線基地局装置７００４−１に接続情報参照信号ｓ７１４１−１を送信する。無線基地局装置７００４−１は、受信した信号を中継し、無線端末局装置７００６−１に接続情報参照信号ｓ７１６１−１を送信する。無線端末局装置７００６−１は、受信した信号に応答して識別情報を含む、情報応答ｓ７１６２−１により、無線基地局装置７００４−１に送信する。無線基地局装置７００４−１は、受信した信号を中継し、基地局接続装置７００２に端末装置情報応答ｓ７１４２−１で送信する。
【０１１９】
続いて、基地局接続装置７００２は、次の無線端末局装置の組み合わせに対して、識別情報の収集にかかる。すなわち、基地局接続装置７００２は、無線基地局装置７００３−２と無線基地局装置７００４−２に、識別情報を要求する。
【０１２０】
基地局接続装置７００２は、無線基地局装置７００３−２に接続情報参照信号ｓ７１３１−２を送信する。無線基地局装置７００３−２は、受信した信号を中継し、無線端末局装置７００５−２に接続情報参照信号ｓ７１５１−２を送信する。無線端末局装置７００５−２は、受信した信号に応答して識別情報を含む、端末装置情報応答ｓ７１５２−２を、無線基地局装置７００３−２に送信する。無線基地局装置７００３−２は、受信した信号を中継し、基地局接続装置７００２に端末装置情報応答ｓ７１３２−２で送信する。また、基地局接続装置７００２は、無線基地局装置７００４−２に接続情報参照信号ｓ７１４１−２を送信する。無線基地局装置７００４−２は、受信した信号を中継し、無線端末局装置７００６−２に接続情報参照信号ｓ７１６１−２を送信する。無線端末局装置７００６―２は、受信した信号に応答して識別情報を含む、端末装置情報応答ｓ７１６２−２を、無線基地局装置７００４−２に送信する。無線基地局装置７００４−２は、受信した信号を中継し、基地局接続装置７００２に端末装置情報応答ｓ７１４２−２で送信する。
【０１２１】
同様に繰り返し、基地局接続装置７００２が、すべての無線端末局装置７００５−１〜７００５−ｎと無線端末局装置７００６−１〜７００６−ｎの識別情報を取得する。基地局接続装置７００２は、それぞれの応答信号を取りまとめて、接続情報ｓ７００２で制御装置７００１に送信する。
制御装置７００１の端末装置通信処理部７１０３は、受信した無線端末局装置の識別情報を制御装置７００１の接続情報ＤＢ７１に記録する。
【０１２２】
以上により、基地局接続装置７００２に接続され、対になる無線基地局装置の配置の関係を利用して、ｎ組の対向する無線端末局装置と関連する各物品（物品Ａと物品Ｂ）の接続状態を収集できることがわかる。
【０１２３】
なお、基地局接続装置７００２から、１対の無線基地局装置をアクセスする手順について、上記説明では、１つの無線端末局装置からの応答があった後、他方の無線端末局装置をアクセスする手順を説明した。他の方法として、複数の無線端末局装置に対して同時に要求信号を送信する手順により、当該無線端末局装置からの応答を待ち基地局接続装置７００２が制御装置７００１に接続情報ｓ７００２を送信する方法をとることも可能である。
基地局接続装置７００２は、無線端末局装置情報参照信号ｓ７００１を受信し無線基地局装置７００３−１に接続情報参照信号ｓ７１３１−１を送信する。
続いて、基地局接続装置７００２は、送信した接続情報参照信号ｓ７１３１−１に対しての無線端末局装置７００５−１からの応答を待たずに、他方の無線端末局装置７００６−１からの識別情報の取得手順を開始する。すなわち、基地局接続装置７００２は、無線基地局装置７００４−１に接続情報参照信号ｓ７１４１−１を送信する。
各無線基地局装置は、上記の接続情報参照信号に対する処理を独立して次の処理を行う。
無線基地局装置７００３−１は、受信した信号を中継し、無線端末局装置７００５−１に接続情報参照信号ｓ７１５１−１を送信する。無線端末局装置７００５−１は、受信した信号に応答して識別情報を含む、無線端末局装置情報応答ｓ７１５２−１を、無線基地局装置７００３−１に送信する。無線基地局装置７００３−１は、受信した信号を中継し、基地局接続装置７００２に無線端末局装置情報応答ｓ７１３２−１を送信する。
【０１２４】
また、無線基地局装置７００４−１は、受信した信号を中継し、無線端末局装置７００６−１に接続情報参照信号ｓ７１６１−１を送信する。無線端末局装置７００６−１は、受信した信号に応答して識別情報を含む、無線端末局装置情報応答ｓ７１６２−１を、無線基地局装置７００４−１に送信する。無線基地局装置７００４−１は、受信した信号を中継し、基地局接続装置７００２に無線端末局装置情報応答ｓ７１４２−１を送信する。
【０１２５】
基地局接続装置７００２は、他の無線基地局群からもそれぞれの応答信号を受信し、取りまとめて、接続情報信号ｓ７００２で制御装置７００１に送信する。
以上の手順により、各無線端末局装置からの識別情報を収集する時間の短縮が行える。
【０１２６】
なお、制御装置７００１と基地局接続装置７００２との通信における識別情報の送信方法において、どの無線端末局装置の識別情報であるかを定義する方法として、無線端末局装置の識別情報の送付順に予め定められた配列の順序に従う当該無線端末局装置の情報と定義することも可能である。一方、所定の無線基地局装置の識別情報を配列のインデックス情報とし、無線端末局装置の識別情報と組み合わせて当該無線端末局装置の識別情報とすることも可能である。
【０１２７】
また、第４実施形態では、基地局接続装置７００２が、ｎ組の無線基地局装置をアクセスする手順について、上記説明では、１つの無線端末局装置からの応答があった後、他方の無線端末局装置をアクセスする手順とし、その手順をｎ回繰り返すものとした。しかし、他の方法として、複数の無線端末局装置に対して同時に要求信号を送信する手順をとり、当該無線端末局装置からの応答を待ち基地局接続装置７００２が制御装置７００１に接続情報ｓ７００２を送信する方法をとることも可能である。本方式をとることにより、接続情報の収集時間の短縮することが可能となる。
【０１２８】
また、本実施形態としては、１対の無線基地局装置をｎ組の組み合わせる構成で説明したが、３個以上の複数の無線基地局装置の関係を管理する基地局接続装置を利用してもよい。それにより複数の物品の組み合わせ状態を収集することができる。
【０１２９】
（第５実施形態）
次に、本発明の第５実施形態について説明する。
図１７は、ＲＦＩＤシステムと無線システムとを使って、統合管理するシステム１００００の構成を示す本実施形態による概略ブロック図である。
ここでは、上記に説明した第1実施形態から第４実施形態を組み合わせて統合した実施形態として説明を行う。図１７に示す符号のうち前記第１実施形態から第４実施形態での図で説明したものと同じ符号のものは、同じ構成を示し、以下異なる構成について説明する。
【０１３０】
システム１０００は、前述した第１実施形態によるシステムで構成される。システム１０００では、システムで収集した接続情報である制御装置１００１に記憶されている接続情報ＤＢ１１を本実施形態で参照する。システム２０００は、前述した第２実施形態によるシステムで構成される。システム２０００では、システムで収集した接続情報である制御装置２００１に記憶されている接続情報ＤＢ２１を本実施形態で参照する。システム６０００は、前述した第３実施形態によるシステムで構成される。システム６０００では、システムで収集した接続情報である制御装置６００１に記憶されている接続情報ＤＢ６１を本実施形態で参照する。システム７０００は、前述した第４実施形態によるシステムで構成される。システム７０００では、システムで収集した接続情報である制御装置７００１に記憶されている接続情報ＤＢ７１を本実施形態で参照する。
【０１３１】
統合処理装置９０００は、物品情報管理部９１０１、入出力処理部９１０２、管理処理部９１０５、接続情報ＤＢ群９１０９により構成する。
物品情報管理部９１０１は、本実施形態で利用する業務処理を行う処理部であり、物品情報と業務管理情報の入力手段を備え、入力された物品情報と業務管理情報として記録する。入出力処理部９１０２は、接続情報を収集・管理する各システムの接続情報を参照し統合処理装置９０００の接続情報ＤＢ群９１０９に記録する。
管理処理部９１０５は、接続情報ＤＢ群９１０９に記憶した情報を読み出し、表示処理を行う。
【０１３２】
接続情報ＤＢ群９１０９は、各情報を記憶する次のデータベースを備える。
図１８〜図２０は、接続情報ＤＢ群９１０９に備える物品情報ＤＢ８１、業務管理情報ＤＢ８２、システム１０００における接続情報ＤＢ９１、システム２０００における接続情報ＤＢ９２、システム６０００の接続情報ＤＢ９６、及び、システム７０００の接続情報ＤＢ９７データベースを示す。
【０１３３】
図１８に示す物品情報ＤＢ８１は、「分類」、「名称」、「識別情報」の項目の情報を記憶する。分類は、本実施形態で管理する対象についてグループ化して種別ごとに管理する分類である。例えば、物品Ａ、物品Ｂ、梱包、コンテナ、輸送１、輸送２、輸送３などを登録する。名称は、本実施形態で管理する対象物の名称である。物品Ａについて、物品Ａ−１〜物品Ａ−ｎを、物品Ｂについて、物品Ｂ−１〜物品Ｂ−ｎを登録する。梱包は、同一に梱包する物品についての分類するための梱包情報を示し、梱包−１〜梱包―ｓを登録する。コンテナについては、コンテナ１〜コンテナｘを登録する。輸送１、輸送２ならびに輸送３については、トラック１〜トラックｙ、貨車１〜貨車ｚを登録する。識別情報は、ＲＦＩＤタグ装置または無線端末局装置に登録する識別情報を表すコードである。
【０１３４】
図１９に示す業務管理情報ＤＢ８２は、「物品名称」、「識別情報１」、「梱包」、「コンテナ」、「輸送１」、「輸送２」、「輸送３」、「接続先名称」、「識別情報２」の項目の情報を記憶する。
物品名称は、本実施形態で管理する対象物の名称である。識別情報１は、ＲＦＩＤタグ装置または無線端末局装置に登録する識別情報を表すコードである。梱包は、梱包番号を示し、梱包されている物品との関連づけを行う情報である。コンテナは、物品をトラック、あるいは、貨車で輸送するときに利用するコンテナ番号を示す。輸送１、輸送２、輸送３は、物品を輸送する複数の輸送手段を示し、トラック、あるいは、貨車を選択し登録する。接続先名称と識別情報２は、当該物品と接続する他方の物品の名称と識別情報を示す。
例えば、物品Ａ−１には、識別情報Ａ００１を持つＲＦＩＤタグ装置が貼付される。物品Ａ−１は、梱包番号として梱包―１（Ｐ００１）として梱包される。さらに、梱包―１（Ｐ００１）は、コンテナ１（ＣＮ０１）で輸送される。輸送は、輸送手段１としてトラック１（Ｔ００１）を利用し、輸送手段２として貨車１（Ｓ００１）を利用し、さらに輸送手段３としてトラック２（Ｔ００２）を利用して行われる。輸送先で、別途送付されてくる識別情報Ｂ００１を持つＲＦＩＤタグ装置が貼付された物品Ｂ−１と接続されることを、業務管理情報ＤＢ８２の１行目の情報が示している。
【０１３５】
図２０（ａ）に示す接続情報ＤＢ９１は、「ＲＦＩＤタグ装置Ａ管理番号」、「ＲＦＩＤタグ装置Ｂ管理番号」の項目の情報を記憶する。ＲＦＩＤタグ装置Ａ管理番号は、ＲＦＩＤリーダ装置１００３に対向するＲＦＩＤタグ装置１００５の識別情報である。ＲＦＩＤタグ装置Ｂ管理番号は、ＲＦＩＤリーダ装置１００４に対向するＲＦＩＤタグ装置１００６の識別情報である。
【０１３６】
図２０（ｂ）に示す接続情報ＤＢ９２は、「ＲＦＩＤタグ装置Ａ管理番号」、「ＲＦＩＤタグ装置Ｂ管理番号」の項目の情報を記憶する。ＲＦＩＤタグ装置Ａ管理番号は、ＲＦＩＤリーダ装置２００３−１〜２００３−ｎに対向するＲＦＩＤタグ装置２００５−１〜２００５−ｎの識別情報である。ＲＦＩＤタグ装置Ｂ管理番号は、ＲＦＩＤリーダ装置２００４−１〜２００４−ｎに対向するＲＦＩＤタグ装置２００６−１〜２００６−ｎの識別情報である。
それぞれのｎ組の組み合わせ構成を示す。すなわち、ＲＦＩＤタグ装置２００５−１とＲＦＩＤタグ装置２００６−１、ＲＦＩＤタグ装置２００５−２とＲＦＩＤタグ装置２００６−２、さらに、ｎ組の並列構成を示すＲＦＩＤタグ装置２００５−ｎ  とＲＦＩＤタグ装置２００６−ｎとの組み合わせと、それぞれの組み合わせによる接続情報の構成が示されている。
【０１３７】
図２０（ｃ）に示す接続情報ＤＢ９６は、「無線端末局装置Ａ管理番号」、「無線端末局装置Ｂ管理番号」の項目の情報を記憶する。無線端末局Ａ管理番号は、無線基地局装置６００３に対向する無線端末局装置６００５の識別情報である。無線端末局装置Ｂ管理番号は、無線基地局装置６００４に対向する無線端末局装置６００６の識別情報である。
【０１３８】
図２０（ｄ）に示す接続情報ＤＢ９７は、「無線端末局装置Ａ管理番号」、「無線端末局装置Ｂ管理番号」の項目の情報を記憶する。無線端末局装置Ａ管理番号は、無線基地局装置７００３−１〜７００３−ｎに対向する無線端末局装置７００５−１〜７００５−ｎの識別情報である。無線端末局装置Ｂ管理番号は、無線基地局装置７００４−１〜７００４−ｎに対向する無線端末局装置７００６−１〜７００６−ｎの識別情報である。
それぞれのｎ組の組み合わせ構成を示す。すなわち、無線端末局装置７００５−１と無線端末局装置７００６−１、無線端末局装置７００５−２と無線端末局装置７００６−２、さらに、ｎ組の並列構成を示す無線端末局装置７００５−ｎ  と無線端末局装置７００６−ｎとの組み合わせと、それぞれの組み合わせによる接続情報としての構成が示されている。
【０１３９】
続いて、本実施形態における動作を説明する。
【０１４０】
本実施形態を応用できる一例として、接続管理を行うコネクタ（物品Ａ）とプラグ（物品Ｂ）を、別々の輸送手段で輸送することとし輸送手段とあわせた情報と状況を統合し、一元化するシステムモデルとして説明する。
【０１４１】
システム１０００では、上記のコネクタ（物品Ａ）とプラグ（物品Ｂ）の接続状態の情報を収集し、記憶する。
システム２０００では、上記のコネクタ（物品Ａ）とプラグ（物品Ｂ）などの梱包状態の情報を収集し、記憶する。すなわち、同一梱包とされた物品（コネクタやその他の部品類）の状態管理を行う。
システム６０００とシステム７０００では、その物品の輸送手段として、トラックによるコンテナ輸送（システム６０００）と貨車によるコンテナ輸送（システム７０００）とする。システム６０００では、トラック（物品Ａ）とコンテナ（物品Ｂ）の配車状態を示す情報を記憶する。システム７０００では、貨車（物品Ａ）とコンテナ（物品Ｂ）の搭載状態を示す情報を記憶する。
【０１４２】
ここで、業務計画としての入力と記録処理を行う。物品情報管理部９１０１の入力手段により、使用する物品、輸送手段などの物品識別情報を物品情報ＤＢ８１に記録する。また、物品情報管理部９１０１の入力手段により、物品の組み合わせ情報、輸送計画などを業務管理情報ＤＢ８２に記録する。
【０１４３】
次に、各システム１０００〜システム７０００においては、輸送などで発生するイベント（梱包、積載、輸送過程など）で情報を収集しそれぞれの制御装置において、そのシステムにおける識別情報を記録する。
【０１４４】
システム１０００において、ＲＦＩＤタグ装置の識別情報を制御装置１００１が収集し、接続情報ＤＢ１１に記録する。
システム２０００において、部品類を配送するための梱包時に配列された状態を示す情報を制御装置２００１が収集し、接続情報ＤＢ２１に記録する。
システム６０００において、トラックに搭載したコンテナとの組み合わせを示す情報を制御装置６００１が収集し、接続情報ＤＢ６１に記録する。
システム７０００において、貨車に搭載したコンテナとの組み合わせを示す情報を制御装置７００１が収集し、接続情報ＤＢ７１に記録する。
システム１０００において、ＲＦＩＤタグ装置の識別情報を制御装置１００１が収集し、接続情報ＤＢ１１に記録する。
さらに、入出力処理部９１０２は、上記各システムにより収集された接続情報を記録する。
入出力処理部９１０２は、システム１０００の制御装置１００１に記憶されている接続情報ＤＢ１１を読出し、統合処理装置９０００内の接続情報ＤＢ群９１０９のデータベースとして記録する。ここで、コネクタとプラグの関係を示すＲＦＩＤタグ装置の接続情報が、接続情報ＤＢ９１に記録される。
入出力処理部９１０２は、システム２０００の制御装置２００１に記憶されている接続情報ＤＢ２１を読出し、統合処理装置９０００内の接続情報ＤＢ群９１０９のデータベースとして記録する。ここで、部品と梱包の関係を示すＲＦＩＤタグ装置の接続情報が、接続情報ＤＢ９２に記録される。
入出力処理部９１０２は、システム６０００の制御装置６００１に記憶されている接続情報ＤＢ６１を読出し、統合処理装置９０００内の接続情報ＤＢ群９１０９のデータベースとして記録する。ここで、トラックとコンテナの関係を示すＲＦＩＤタグ装置の接続情報が、接続情報ＤＢ９６に記録される。
入出力処理部９１０２は、システム７０００の制御装置７００１に記憶されている接続情報ＤＢ７１を読出し、統合処理装置９０００内の接続情報ＤＢ群９１０９のデータベースとして記録する。ここで、部品と梱包の関係を示すＲＦＩＤタグ装置の接続情報が、接続情報ＤＢ９７に記録される。
【０１４５】
さらに、管理処理部９１０５は、物品情報ＤＢ８１、業務管理情報ＤＢ８２と上記システム１０００により収集した接続情報ＤＢ９１、システム２０００により収集した接続情報ＤＢ９２、システム６０００により収集した接続情報ＤＢ９６、さらに、システム７０００から収集した接続情報ＤＢ９７との関連付けを行い、計画時に作成した業務管理情報ＤＢ８２との比較により、輸送中の配送状態や、配送先での施工状態の把握まで、同じシステムにおいて関連する物品の情報を扱えるようになることがわかる。
【０１４６】
本実施形態で示すように、異なる無線方式を備えるシステムを利用した組み合わせた場合においても、本発明により統合することができることがわかる。
【０１４７】
なお、本実施形態において、システム１０００からシステム７０００のうちから必要な組み合わせを行い、また、複数のシステムを用いて構成することができる。
システムを構成するにあたり、各制御装置の一部あるいは全部を、統合し一体化して構成する方法も可能である。
【０１４８】
また、本実施形態において、システム１０００からシステム７０００における制御装置のいずれかと、統合処理装置９０００とを統合し、一体化すること方法も可能である。
【０１４９】
また、本実施形態において、システム１０００からシステム７０００における「接続情報ＤＢ」のいずれかを、統合した構成とすることも可能である。また、統合処理装置９０００における接続情報ＤＢ群９１０９と一体化することも可能である。
【０１５０】
また、各装置の基本構成、実装など配置方法に制限はなく、任意に配置が可能である。
【０１５１】
また、統合処理装置９０００が、各システムの制御装置から接続情報を収集する手段は、有線通信手段、無線通信手段、媒体を利用した輸送手段などいずれの手段も選択が可能である。また、無線通信手段を選択した場合に、複数の無線中継局を経由する無線中継とすることもできる。この無線通信手段の方式として、ＲＦＩＤシステムの適用に限らず、携帯電話、無線ＬＡＮ（Local  Area  Network）、ＷｉＭＡＸ（Worldwide Interoperability for Microwave Access）、ＰＨＳ（Personal Handy-phone System）、特定省電力無線通信などの手段が利用でき、無線通信手段を特定しない。
【０１５２】
なお、前述の第１実施形態から第５実施形態に関係して付随する内容についての補足説明を行う。
【０１５３】
本技術が適用できる用途としては、コネクタとプラグの関係であれば、一般的に利用されている下記に例として示すものが想定できる。例えば、各種光ファイバ接続コネクタ、イーサネット（登録商標）用コネクタ／プラグ／接続ポート、ＦＡＳコネクタプラグ／ソケット（戸外用コネクタ、架空クロージャ等に適用）、ＦＡＳコネクタプラグ（素線タイプ、ドロップタイプ、共に適用が可能）、ＦＡコネクタプラグ／ソケット（宅内での接続に適用）、ＳＣ（Single Coupling）コネクタ、ＭＴコネクタ（局内での接続に使用）、ＭＵ（Miniature Unit coupling）コネクタ（局内での接続に使用）、ＭＣコネクタ、ＦＭＣコネクタ等がある。
コネクタ以外の用途としては、対象物の大きさ、種類、形状には制限がなく、コンテナ、トラック、飛行機、車などいろいろな用途に適用可能である。
【０１５４】
また、第１実施形態、第２実施形態または第５実施形態による、ＲＦＩＤリーダ装置、ＲＦＩＤタグ装置は、それぞれ、リーダ制御回路及びリーダアンテナ、タグ制御回路及びタグアンテナを備えている。また、前述した第１実施形態で説明したように、ＲＦＩＤリーダ装置のリーダアンテナまたはＲＦＩＤタグ装置のタグアンテナの少なくとも一方には、そのアンテナの中、または、その略中心部に磁性体（フェライト、パーマロイなど）が配設されている。磁性体には、コア形状に限らず、磁性体シートを必要数利用することもできる。磁性体は、リーダアンテナ、あるいは、タグアンテナでの磁界、電界を効率的に閉じ込める効果を有する。また、磁気シールドによる遮蔽を組み合わせる手法によっても、ＲＦＩＤリーダ装置の配置密度を向上させることを可能とし、特定のＲＦＩＤタグ装置に対しての読み出し処理を容易に行えるようになる。
【０１５５】
また、第１実施形態、第２実施形態または第５実施形態による、ＲＦＩＤリーダ装置、ＲＦＩＤタグ装置の製造方法として、ソースタギングによる管理対象物の製造時に一体化させることも可能である。
【０１５６】
なお、第１実施形態、第２実施形態または第５実施形態で使用するＲＦＩＤタグ装置への電力給電方法については、バッテリーによる給電、ＲＦＩＤリーダ装置からの給電を利用することができる。また、ＲＦＩＤタグ装置にバッテリーを備え、ＲＦＩＤリーダ装置からの磁界・電界を検出してＲＦＩＤタグ装置からの通信のトリガとして利用し、バッテリーの消耗を低減させる方法との組み合わせも可能である。
【０１５７】
また、第３実施形態から第５実施形態による無線通信方式は、応用するシステムにおける無線基地局装置と無線端末局装置との距離などを考慮して方式を選択することが可能である。例えば、長距離の伝播が必要とされるのであれば、携帯電話システム、ＰＨＳなど、また、比較的近距離の伝播でよければ、ＷｉＭＡＸ，無線ＬＡＮシステム、あるいは、Ｚｉｇｂｅｅ（登録商標）、Ｂｌｕｅｔｏｏｔｈ（登録商標）などに代表される各種無線システムを利用可能である。
例えば、前述の携帯電話システム、ＰＨＳなどを利用する広域な通信範囲を対象とするシステムでの無線基地局装置は、設置された場所で土地に固定された配置形態をとる。その際の基地局接続装置は、当該基地局接続装置を構成する接続処理部と、当該接続処理部と当該無線基地局との回線とで構成される。そのため、本発明の特徴である無線基地局装置の配置に対応づけられたシステムを構成できる。
【０１５８】
なお、本発明に記載の「通信装置」は、上記の第１実施形態から第４実施形態においては、以下の組み合わせの構成を示す。
第１実施形態においては、ＲＦＩＤリーダ装置１００３とＲＦＩＤリーダ装置１００４とリーダ接続装置１００２との組み合わせにより構成される。第２実施形態においては、ＲＦＩＤリーダ装置２００３−１〜２００３−ｎとＲＦＩＤリーダ装置２００４−１〜２００４−ｎとリーダ接続装置２００２との組み合わせにより構成される。第３実施形態においては、無線基地局装置６００３と無線基地局装置６００４と基地局接続装置６００２との組み合わせにより構成される。第４実施形態においては、無線基地局装置７００３−１〜７００３−ｎと無線基地局装置７００４−１〜７００４−ｎと基地局接続装置７００２との組み合わせにより構成される。
【図面の簡単な説明】
【０１５９】
【図１】第１実施形態によるＲＦＩＤシステムの構成を示す概略ブロック図である。
【図２】第１実施形態によるＲＦＩＤシステムの制御装置を示す構成例である。
【図３】第１実施形態によるＲＦＩＤシステムで扱う接続情報の構造である。
【図４】第１実施形態によるＲＦＩＤシステムの動作手順である。
【図５】第２実施形態によるＲＦＩＤシステムの構成を示す概略ブロック図である。
【図６】第２実施形態によるＲＦＩＤシステムの制御装置を示す構成例である。
【図７】第２実施形態によるＲＦＩＤシステムで扱う接続情報の構造である。
【図８】第２実施形態によるＲＦＩＤシステムの動作手順である。
【図９】第３実施形態による無線システムの構成を示す概略ブロック図である。
【図１０】第３実施形態による無線システムの制御装置を示す構成例である。
【図１１】第３実施形態による無線システムで扱う接続情報の構造である。
【図１２】第３実施形態による無線システムの動作手順である。
【図１３】第４実施形態による無線システムの構成を示す概略ブロック図である。
【図１４】第４実施形態による無線システムの制御装置を示す構成例である。
【図１５】第４実施形態による無線システムで扱う接続情報の構造である。
【図１６】第４実施形態による無線システムの動作手順である。
【図１７】第５実施形態における接続情報の構成を示す概略ブロック図である。
【図１８】第５実施形態による無線システムで扱う識別情報の構造である。
【図１９】第５実施形態による無線システムで扱う業務情報の構造である。
【図２０】第５実施形態による無線システムで扱う接続情報の構造である。
【図２１】従来のＲＦＩＤシステムの構成を示す概略ブロック図である。
【符号の説明】
【０１６０】
１０００  システム
１００１  制御装置  
１００２  リーダ接続装置  
１００３、１００４  ＲＦＩＤリーダ装置  
１００５，１００６  ＲＦＩＤタグ装置  
１００７  物品Ａ  
１００８  物品Ｂ
１１０１  接続処理部  
【図１】
0004955521.tif 000002
【図２】
0004955521.tif 000003
【図３】
0004955521.tif 000004
【図４】
0004955521.tif 000005
【図５】
0004955521.tif 000006
【図６】
0004955521.tif 000007
【図７】
0004955521.tif 000008
【図８】
0004955521.tif 000009
【図９】
0004955521.tif 000010
【図１０】
0004955521.tif 000011
【図１１】
0004955521.tif 000012
【図１２】
0004955521.tif 000013
【図１３】
0004955521.tif 000014
【図１４】
0004955521.tif 000015
【図１５】
0004955521.tif 000016
【図１６】
0004955521.tif 000017
【図１７】
0004955521.tif 000018
【図１８】
0004955521.tif 000019
【図１９】
0004955521.tif 000020
【図２０】
0004955521.tif 000021
【図２１】
0004955521.tif 000022